(57)【要約】【課題】ドリルボディ３の機械的強度を十分に確保しつつ、ドリルボディ３のランド部７側へ流出した切粉によるドリルボディ３のランド部７の損傷を抑えること。【解決手段】ドリルボディの先端部に超硬チップ１３が設けられ、超硬チップ１３の先端面にドリルボディ３の排出溝５に接続した切刃１９が形成され、ドリルボディ３のランド部７に放電表面処理により硬質被膜２１が形成され、硬質被膜２１は、ＴｉＣ、ステライト金属、又はこれらの複合材料により構成されたこと。【選択図】図１
2010069597.tif 000002
【特許請求の範囲】
【請求項１】
穴加工機によって被加工物に対して穴を加工する際に用いられるドリルにおいて、
外周面に切粉を排出可能なねじれ状の排出溝が形成され、前記排出溝によってねじれ状のランド部が区画されたドリルボディと、
前記ドリルボディの基端部に一体形成され、前記穴加工機のドリルチャックに装着可能なドリルシャンクと、を備え、
前記ドリルボディの前記ランド部に放電表面処理により硬質被膜が形成され、前記硬質被膜は、ＴｉＣ、ステライト金属、又はこれらの複合材料により構成されたことを特徴とするドリル。
【請求項２】
前記硬質被膜は、ＴｉＣの粉末、ステライト金属の粉末、又はこれらの混合粉末から成形された放電電極を用い、前記ドリルボディの前記ランド部と前記放電電極との間にパルス状の放電を発生させて、その放電エネルギーにより、前記ドリルボディの前記ランド部に前記放電電極の電極材料を溶着させることによって形成されたことを特徴とする請求項１に記載のドリル。
【請求項３】
前記ドリルボディの先端部に設けられ、硬質材料により構成され、先端面に前記排出溝に接続した切刃が形成されたチップと、を備えたことを特徴とする請求項１又は請求項２に記載のドリル。
【請求項４】
前記チップは、前記ドリルボディの先端部に対して着脱可能であることを特徴とする請求項３に記載のドリル。
【発明の詳細な説明】
【技術分野】
【０００１】
本発明は、穴加工機によって被加工物に対して穴を加工する際に用いられるドリルに関する。
【背景技術】
【０００２】
従来から超硬ドリル（ドリルの一例）はよく用いられており（特許文献１及び特許文献２参照）、一般的な超硬ドリルの構成は、次のようになる。
【０００３】
即ち、一般的な超硬ドリルは、ドリルボディを備えており、このドリルボディは、高速度工具鋼等の工具鋼により構成されている。また、ドリルボディの外周面には、切粉（切削屑）を排出可能な複数のねじれ状の排出溝が形成されており、複数の排出溝によって、複数のねじれ状のランド部が区画されている。
【０００４】
ドリルボディの基端部には、穴加工機のドリルチャックに装着可能なドリルシャンクが一体形成されており、このドリルシャンクは、ドリルボディと同様に、高速度工具鋼等の工具鋼により構成されている。また、ドリルボディの先端部には、超硬チップが設けられており、この超硬チップは、超硬合金等の硬質材料により構成されている。更に、超硬チップの先端面には、排出溝と同数の切刃が形成されており、各切刃は、対応する排出溝に接続可能（連通可能）である。
【特許文献１】特開昭６３−３０６８１３号公報
【特許文献２】特開昭６２−８１５０９号公報
【発明の開示】
【発明が解決しようとする課題】
【０００５】
ところで、穴加工機によって穴深さが穴径の３倍以上の深穴を加工する際に、ドリルボディの排出溝において切粉が停滞して、ドリルボディの排出溝からランド部側へ切粉が流出する傾向にある。そのため、穴個数の増加に伴い、ドリルボディのランド部側へ流出した切粉によってドリルボディのランド部の損傷（摩耗）が激しくなって、穴の加工精度の低下を招くことになる。
【０００６】
一方、ドリルボディのランド部にＰＶＤ処理、ＣＶＤ処理、無電解ニッケルメッキ処理により硬質被膜を形成することも考えられる。しかしながら、ドリルボディのランド部にＰＶＤ処理又はＣＶＤ処理を施す場合には、硬質被膜の耐摩耗性を十分に確保できるものの、超硬ドリルの製造過程においてドリルボディが４００°以上の高温環境に置かれることなり、ドリルボディの機械的強度が低下する可能性があるため、好ましくない。また、ドリルボディのランド部に無電解ニッケルメッキ処理を施す場合には、超硬ドリルの製造過程においてドリルボディが高温環境に置かれることはないももの、硬質被膜の耐摩耗性を十分に確保することができず、ドリルボディのランド部側へ流出した切粉によるドリルボディのランド部の損傷を抑えることが困難になる。
【０００７】
つまり、ドリルボディの機械的強度を十分に確保しつつ、ドリルボディのランド部側へ流出した切粉によるドリルボディのランド部の損傷を抑えて、穴の加工精度を維持することは極めて困難であるという問題がある。
【０００８】
そこで、本発明は、前述の問題を解決することができる、新規な構成のドリルを提供することを目的とする。
【課題を解決するための手段】
【０００９】
本発明の特徴は、穴加工機によって被加工物に対して穴を加工する際に用いられるドリルにおいて、外周面に切粉を排出可能なねじれ状の排出溝が形成され、前記排出溝によってねじれ状のランド部が区画されたドリルボディと、前記ドリルボディの基端部に一体形成され、前記穴加工機のドリルチャックに装着可能なドリルシャンクと、を備え、前記ドリルボディの前記ランド部に放電表面処理により硬質被膜が形成され、前記硬質被膜は、ＴｉＣ、ステライト金属、又はこれらの複合材料により構成されたことを要旨とする。
【００１０】
ここで、前記ドリルにあっては、前記ドリルボディの先端部に切刃を有したチップが設けられている場合と、前記ドリルボディの先端部に切刃が直接形成されている場合の２つの態様がある。
【００１１】
なお、本願の特許請求の範囲及び明細書中において、「ねじれ状」とは、螺旋状を含む意である。
【００１２】
本発明の特徴によると、前記ドリルボディの前記ランド部に放電表面処理により前記硬質被膜が形成され、前記硬質被膜がＴｉＣ等により構成されているため、前記ドリルの製造過程において前記ドリルボディを高温環境に置くことなく、前記硬質被膜の耐摩耗性を十分に確保することができる。
【発明の効果】
【００１３】
本発明によれば、前記ドリルの製造過程において前記ドリルボディを高温環境に置くことなく、前記硬質被膜の耐摩耗性を十分に確保できるため、前記ドリルボディの機械的強度を十分に確保しつつ、前記ドリルボディの前記ランド部側へ流出した切粉による前記ドリルボディの前記ランド部の損傷を抑えて、穴の加工精度を維持することができる。
【発明を実施するための最良の形態】
【００１４】
本発明の実施形態について図１から図３を参照して説明する。ここで、図１（ａ）は、本発明の実施形態に係る超硬ドリルの斜視図、図１（ｂ）は、本発明の実施形態に係る超硬チップを先端側から見た拡大図、図２は、本発明の実施形態に係る超硬ドリルの分解斜視図、図３は、本発明の実施形態に係るドリルボディのランド部に放電表面処理を施している様子を示す図である。
【００１５】
図１（ａ）（ｂ）及び図２に示すように、本発明の実施形態に係る深穴加工用超硬ドリル１は、穴加工機（図示省略）によってリアクター等の圧力容器における管板等の被加工物（図示省略）に対して、穴径が２５ｍｍ以上でかつ深さが穴径の３倍以上の深穴を加工する際に用いられるものである。そして、本発明の実施形態に係る深穴加工用超硬ドリル１の具体的な構成等は、以下のようになる。
【００１６】
深穴加工用超硬ドリル１は、ドリルボディ３を備えており、このドリルボディ３は、高速度工具鋼等の工具鋼により構成されている。また、ドリルボディ３の外周面には、切粉を排出可能な一対のねじれ状の排出溝５が形成されており、一対の排出溝５によって、一対のねじれ状のランド部７が区画されている。更に、ドリルボディ３の先端部には、山形状のボディ側嵌合歯９が形成されている
ドリルボディ３の基端部には、穴加工機のドリルチャック（図示省略）に装着可能なドリルシャンク１１が一体形成されており、このドリルシャンク１１は、ドリルボディ３と同様に、高速度工具鋼等の工具鋼により構成されている。
【００１７】
ドリルボディ３の先端部には、超硬チップ１３が複数の六角穴付ボルト１５を介して着脱可能に設けられており、この超硬チップ１３は、超硬合金等の超硬材料（硬質材料の一例）により構成されている。また、超硬チップ１３の縁部には、ドリルボディ３のボディ側嵌合歯９に嵌合した山形状のチップ側嵌合歯１７が形成されている。更に、超硬チップ１３の先端面には、一対（排出溝５と同数）の切刃１９が形成されており、各切刃１９は、対応する排出溝５に接続可能（連通可能）である。なお、超硬チップ１３がドリルボディ３の先端部に着脱可能に設けられる代わりに、ロー付けによってドリルボディ３の先端部に一体的に設けられるようにしても構わない。
【００１８】
ドリルボディ３の各ランド部７には、放電表面処理により硬質被膜２１が形成されており、硬質被膜２１は、ＴｉＣ、ステライト金属、又はこれらの複合材料により構成されている。より具体的には、図３に示すように、硬質被膜２１は、電気絶縁性のある加工液中又は気中において、ドリルボディ３のランド部７と放電電極と２３の間にパルス状の放電を発生させて、その放電エネルギーにより、ドリルボディ３のランド部７に放電電極２３の電極材料（電極材料の反応物質を含む）を溶着させることによって形成されている。また、硬質被膜２１は、パルス状の放電を発生させている間、放電電極２３を保持する電極ホルダ２５をドリルボディ３に対して相対的にドリルボディ３の軸方向へ移動させつつ、ドリルボディ３を軸心Ｃ周りに回転させることによってランド部７のねじれ方向に沿って形成されるものである。ここで、放電電極２３は、ＴｉＣの粉末、ステライト金属の粉末、又はこれらの混合粉末から圧縮成形又は射出成形されるものであって、放電電極２３の先端形状は、ドリルボディ３のランド部７の円周方向に沿う表面形状に対応（近似）している。
【００１９】
なお、超硬チップ１３の先端面には、潤滑油を噴出する噴出孔（図示省略）が形成されており、ドリルシャンク１１から超硬チップ１３に亘って、噴出孔に連通しかつ潤滑油供給源（図示省略）からの潤滑油を供給する供給通路（図示省略）が形成されている。
【００２０】
続いて、本発明の実施形態の作用及び効果について説明する。
【００２１】
ドリルボディ３のランド部７に放電表面処理により硬質被膜２１が形成され、硬質被膜２１がＴｉＣ等により構成されているため、深穴加工用超硬ドリル１の製造過程においてドリルボディ３を高温環境に置くことなく、硬質被膜２１の耐摩耗性を十分に確保することができる。
【００２２】
また、超硬チップ１３がドリルボディ３の先端部に対して着脱可能であるため、穴加工によって超硬チップ１３の切刃１９の摩耗が進行した場合に、深穴加工用超硬ドリル１全体を交換するのでなく、超硬チップ１３のみを交換すれば足りる。
【００２３】
従って、本発明の実施形態によれば、超硬チップ１３のみが超硬材料により構成され、深穴加工用超硬ドリル１の製造過程においてドリルボディ３を高温環境に置くことなく、硬質被膜２１の耐摩耗性を十分に確保できるため、深穴加工用超硬ドリル１の材料コストの低減を図った上で、ドリルボディ３の機械的強度を十分に確保しつつ、ドリルボディ３のランド部７側へ流出した切粉によるドリルボディ３のランド部７の損傷を抑えて、深穴の加工精度を維持することができる。
【００２４】
また、穴加工によって超硬チップ１３の切刃１９の摩耗が進行した場合に、深穴加工用超硬ドリル１全体を交換するのでなく、超硬チップ１３のみを交換すれば足りるため、深穴加工用超硬ドリル１全体として寿命を延ばすことができる。
【００２５】
なお、本発明は、前述の実施形態の説明に限られるものではなく、その他、種々の態様で実施可能である。また、本発明に包含される権利範囲は、これらの実施形態に限定されないものである。
【実施例】
【００２６】
本発明の実施形態に係る深穴加工用超硬ドリル１を発明品（実施例に係る深穴加工用超硬ドリル）として製造すると共に、本発明の実施形態に係る深穴加工用超硬ドリル１から硬質被膜２１のみを省略した深穴加工用超硬ドリルを比較品（比較例に係る深穴加工用超硬ドリル）として製造する。そして、実施例に係る深穴加工用超硬ドリル及び比較例に係る深穴加工用超硬ドリルを用いて、穴加工機によってリアクターの管板に対して深穴（穴径３８．６ｍｍ及び深さ１７０ｍｍ）を加工した。その結果、比較例に係る深穴加工用超硬ドリルを用いた場合には、４００個程度の深穴を加工すると、ドリルボディのランド部の損傷が激しくなったのに対して、実施例に係る深穴加工用超硬ドリルを用いた場合には、８００個の深穴を加工しても、ドリルボディのランド部に目立った損傷が見られなかった。
【図面の簡単な説明】
【００２７】
【図１】図１（ａ）は、本発明の実施形態に係る超硬ドリルの斜視図、図１（ｂ）は、本発明の実施形態に係る超硬チップを先端側から見た拡大図である。
【図２】本発明の実施形態に係る超硬ドリルの分解斜視図である。
【図３】本発明の実施形態に係るドリルボディのランド部に放電表面処理を施している様子を示す図である。
【符号の説明】
【００２８】
１        深穴加工用超硬ドリル
３        ドリルボディ
５        排出溝
７        ランド部
９        ボディ側嵌合歯
１１        ドリルシャンク
１３        超硬チップ
１５        六角穴付ボルト
１７        チップ側嵌合歯
１９        切れ刃
２１        硬質被膜
２３        放電電極
２５        電極ホルダ
【図１】
2010069597.tif 000003
【図２】
2010069597.tif 000004
【図３】
2010069597.tif 000005